(57)【要約】      （修正有）【課題】照明器具の電球ソケットにＬＥＤ電球のような様々の大きさ・形状の電球を、確実に通電できる状態でしっかりと固定でき、また、自然冷却を働き易くする電球取付用アダプターを提供する。【解決手段】受電部１を備え電球ソケットに着脱可能に取付けられるアダプター取付部Ａと、該アダプター取付部に接続される電球アダプター長さ調節用のアダプター連結部Ｂと、給電部１１を備え前記アダプター連結部に接続されるアダプターソケット部Ｃとからなり、これらに連通してそれぞれ中心軸に中央部取付孔５とその両側部に２つの側部取付孔６を設け、ねじ状金具と筒状連結金具からなる導電性の連結具を使用して、アダプター取付部とアダプター連結部とアダプターソケット部を一体に結合するとともに、アダプター取付部の受電部１とアダプターソケット部の給電部１１を通電可能に接続する。【選択図】図２
0003155799.tif 000002
【実用新案登録請求の範囲】
【請求項１】
電球ソケットと該電球ソケットに取付けられる電球との間に介装される電球取付用アダプターであって、
該電球取付用アダプターは、受電部を備え前記電球ソケットに着脱可能に取付けられるアダプター取付部と、前記アダプター取付部に接続される電球アダプター長さ調節用のアダプター連結部と、給電部を備え前記アダプター連結部に接続されるアダプターソケット部と、前記アダプター取付部と前記アダプター連結部と前記アダプターソケット部を一体に結合するとともに前記アダプター取付部の受電部と前記アダプターソケット部の給電部を通電可能に接続する導電性の連結具とからなり、
前記連結具は、３つの受電部側ねじ状金具と、３つの給電部側ねじ状金具と、前記受電部側ねじ状金具の雄ねじ部および前記給電部側ねじ状金具の雄ねじ部と螺合可能な雌ねじ部を両端部に備える３つの筒状連結金具とからなり、
前記アダプター取付部と前記アダプター連結部と前記アダプターソケット部は、接続時に連通する中央部取付孔と、前記中央部取付孔の両側部に設けられ、接続時に連通する２つの側部取付孔とを備え、かつ、前記中央部取付孔および前記２つの側部取付孔は、前記アダプター取付部と前記アダプター連結部と前記アダプターソケット部との接続時に形成され、一端が前記アダプター取付部内に位置し、他端が前記アダプターソケット部内に位置し、前記アダプター連結部を貫通する３つの連結金具収納部を有し、
前記各筒状連結金具は、前記各連結金具収納部内に収納されており、前記各受電部側ねじ状金具は、前記アダプター取付部側から前記中央部取付孔もしくは前記側部取付孔に侵入し前記各筒状連結金具と螺合し、前記各給電部側ねじ状金具は、前記アダプターソケット部側から前記中央部取付孔もしくは前記側部取付孔に侵入し前記各筒状連結金具と螺合し、前記アダプター取付部と前記アダプター連結部と前記アダプターソケット部とを一体的に結合するとともに、前記アダプター取付部の受電部と前記アダプターソケット部の給電部を通電可能に接続していることを特徴とする電球取付用アダプター。
【請求項２】
前記電球取付用アダプターは、第１のアダプター連結部と３つの第１の筒状連結金具とからなる第１の長さ用セットと、前記第１のアダプター連結部より短い第２のアダプター連結部と前記第１の筒状連結金具より短い３つの第２の筒状連結金具とからなる第２の長さ用セットを備え、前記第１の長さ用セットとおよび前記第２の長さ用セットを任意に選択可能である請求項１に記載の電球取付用アダプター。
【請求項３】
前記中央部取付孔および前記側部取付孔は、前記連結金具収納部の一端より前記アダプター取付部の外面に延びるねじ状金具挿入孔と、前記連結金具収納部の他端より前記アダプターソケット部の外面に延びるねじ状金具挿入孔とを備えている請求項１または２に記載の電球取付用アダプター。
【請求項４】
前記筒状連結金具は、多角筒状の高ナットであり、前記連結金具収納部は、前記高ナットの形状に適合した多角柱状空間となっている請求項１ないし３のいずれかに記載の電球取付用アダプター。
【請求項５】
前記アダプター取付部は、円柱状のアダプター取付部主体と、筒状の受電用口金を嵌め込む円柱状の口金嵌合部と、中心部受電端子を取付ける山形凸部が一体に絶縁材料で形成され、その中心軸に前記中央部取付孔が設けられ、また、前記中心取付孔の左右に平行して２つの前記側部取付孔が設けられ、透孔を設けた通電用接続片を上端に有する筒状の受電用口金が前記口金嵌合部に嵌め入れられ、前記中央部取付孔に前記ねじ状金具が挿入され前記山形凸部の頂部に前記ねじ状金具の頭部が中心部受電端子として取付けられ、前記受電用口金と前記中心部受電端子とからなる受電部を備えたものである請求項１ないし４のいずれかに記載の電球取付用アダプター。
【請求項６】
前記連結金具収納部の前記一端は、前記アダプター取付部のアダプター連結部との接続面より、所定の深さ前記アダプター取付部内に延び、前記連結金具収納部の一端部収納部を形成しており、前記連結金具収納部の前記他端は、前記アダプターソケット部のアダプター連結部との接続面より、所定の深さ前記アダプターソケット部内に延び、前記連結金具収納部の他端部収納部を形成している請求項１ないし５のいずれかに記載の電球取付用アダプター。
【請求項７】
前記アダプター取付部は、アダプター連結部との接続面に設けられた凸部もしくは凹部からなる取付部側係合部を備え、前記アダプター連結部は、前記取付部側係合部に対応した凸部もしくは凹部かならる連結部側係合部を備え、前記取付部側係合部と前記連結部側係合部とを係合させることにより、前記アダプター取付部と前記アダプター連結部とは、回転不能に係合するものである請求項１ないし６のいずれかに記載の電球取付用アダプター。
【請求項８】
前記アダプターソケット部は、アダプター連結部との接続面に設けられた凸部もしくは凹部からなるソケット部側係合部を備え、前記アダプター連結部は、前記ソケット部側係合部に対応した凸部もしくは凹部かならる連結部側係合部を備え、前記ソケット部側係合部と前記連結部側係合部とを係合させることにより、前記アダプターソケット部と前記アダプター連結部とは、回転不能に係合するものである請求項１ないし７のいずれかに記載の電球取付用アダプター。
【請求項９】
前記アダプター連結部は、前記アダプター取付部主体と同一の直径を有する円柱状の絶縁材料で形成され、前記アダプター取付部に連結したとき前記中央部取付孔及び前記側部取付孔と同一軸心上になる位置に、前記連結金具を挿入する前記連結金具収納部を貫通して備えている請求項１ないし８のいずれかに記載の電球取付用アダプター。
【請求項１０】
前記アダプターソケット部は、前記アダプター取付部主体及びアダプター連結部と同一の直径を有する絶縁材料で形成された有底の円筒体であって、底部には前記中央部取付孔と前記側部取付孔が設けられ、また、円筒体内には前記ねじ状金具により前記中央部取付孔に取付けられる中央部給電端子と、電球の口金部を螺入し装着する筒状の給電用口金が設けられ、前記中央部給電端子と前記給電用口金からなる給電部を備えた請求項１ないし９のいずれかに記載の電球取付用アダプター。
【請求項１１】
電球ソケットと該電球ソケットに取付けられる電球との間に介装される電球取付用アダプターであって、
該電球取付用アダプターは、受電部を備え前記電球ソケットに着脱可能に取付けられるアダプター取付部と、前記アダプター取付部に接続される電球アダプター長さ調節用のアダプター連結部と、給電部を備え前記アダプター連結部に接続されるアダプターソケット部と、前記アダプター取付部と前記アダプター連結部と前記アダプターソケット部を一体に結合するとともに前記アダプター取付部の受電部と前記アダプターソケット部の給電部を通電可能に接続する導電性の連結具とからなり、
前記連結具は、３つの受電部側ねじ状金具と、３つの給電部側ねじ状金具と、前記受電部側ねじ状金具の雄ねじ部および前記給電部側ねじ状金具の雄ねじ部と螺合可能な雌ねじ部を両端部に備える３つの筒状連結金具とからなり、
前記アダプター取付部と前記アダプター連結部と前記アダプターソケット部は、接続時に連通する中央部取付孔と、前記中央部取付孔の両側部に設けられ、接続時に連通する２つの側部取付孔とを備え、かつ、前記中央部取付孔および前記２つの側部取付孔は、前記アダプター取付部と前記アダプター連結部と前記アダプターソケット部との接続時に形成され、一端が前記アダプター取付部内に位置し、他端が前記アダプターソケット部内に位置し、前記アダプター連結部を貫通する３つの連結金具収納部を有し、
前記アダプター取付部は、アダプター連結部との接続面に設けられた凸部もしくは凹部からなる取付部側係合部を備え、前記アダプター連結部は、前記取付部側係合部に対応した凸部もしくは凹部かならる連結部側係合部を備え、前記取付部側係合部と前記連結部側係合部とを係合させることにより、前記アダプター取付部と前記アダプター連結部とは、回転不能に係合するものであり、
前記アダプターソケットは、アダプター連結部との接続面に設けられた凸部もしくは凹部からなるソケット部側係合部を備え、前記アダプター連結部は、前記ソケット部側係合部に対応した凸部もしくは凹部かならる連結部側係合部を備え、前記ソケット部側係合部と前記連結部側係合部とを係合させることにより、前記アダプターソケット部と前記アダプター連結部とは、回転不能に係合するものであり、
前記各筒状連結金具は、前記各連結金具収納部内に収納されており、前記各受電部側ねじ状金具は、前記アダプター取付部側から前記中央部取付孔もしくは前記側部取付孔に侵入し前記各筒状連結金具と螺合し、前記各給電部側ねじ状金具は、前記アダプターソケット部側から前記中央部取付孔もしくは前記側部取付孔に侵入し前記各筒状連結金具と螺合し、前記アダプター取付部と前記アダプター連結部と前記アダプターソケット部とを一体的に結合するとともに、前記アダプター取付部の受電部と前記アダプターソケット部の給電部を通電可能に接続するものであり、さらに、
前記電球取付用アダプターは、第１のアダプター連結部と３つの第１の筒状連結金具とからなる第１の長さ用セットと、前記第１のアダプター連結部より長い第２のアダプター連結部と前記第１の筒状連結金具より長い３つの第２の筒状連結金具とからなる第２の長さ用セットを備え、前記第１の長さ用セットとおよび前記第２の長さ用セットを任意に選択可能であることを特徴とする電球取付用アダプター。
【請求項１２】
前記筒状連結金具は、多角筒状の高ナットであり、前記連結金具収納部は、前記高ナットの形状に適合した多角柱状空間となっている請求項１１に記載の電球取付用アダプター。
【請求項１３】
前記連結金具収納部の前記一端は、前記アダプター取付部のアダプター連結部との接続面より、所定の深さ前記アダプター取付部内に延び、前記連結金具収納部の一端部収納部を形成しており、前記連結金具収納部の前記他端は、前記アダプターソケット部のアダプター連結部との接続面より、所定の深さ前記アダプターソケット部内に延び、前記連結金具収納部の他端部収納部を形成している請求項１１または１２に記載の電球取付用アダプター。
【考案の詳細な説明】
【技術分野】
【０００１】
本考案は、天井面、壁面等に付設された電球ソケットと、該電球ソケットに取付ける電球、主にＬＥＤ電球との間に介装し、電球ソケットと電球との間隔、又は天井面、壁面等と電球との間隔を設けることができる電球取付用アダプターに関するものである。
【背景技術】
【０００２】
天井面、壁面等に一般的な照明器具、ダウンライト、スポットライト、その他の施設照明に使用する照明器具として電球ソケットが設けられている。しかし、消費電力が少なく長寿命であるＬＥＤ電球が近年普及し、そのＬＥＤ電球は内部に多数のＬＥＤを配置して一つの照明器具とすることができること、また、ＬＥＤ電球はその発光の特性を生かし発光方向を自由に設定することができることから、従来の電球の形とは異なり、外観の形状・大きさは様々であり、自由にデザインした特殊な形状の商品も提供されている。
このように色々な形状・大きさを有するＬＥＤ電球を、従来から備えられている各照明器具のソケットに電球の口金を螺入して装着する場合、ＬＥＤ電球が照明器具のソケットないしは天井面、壁面等に接触し、電球ソケットに確実に取付けることができなかったり、電球の口金をソケットに装着することができても、天井面・壁面に密接し電球の放熱が充分にできない場合がある。
それ故、電球ソケットへのＬＥＤ電球等の装着を確実にすることができず、接触不良の問題を生じたり、装着が確実にできても空気の流れによる自然冷却が充分に働かず、ＬＥＤ電球のＬＥＤ素子部が高温になり該素子部が劣化し、また、ＬＥＤ素子周辺の蛍光体が劣化し、或いは、封止樹脂の劣化により透光性が落ち、ＬＥＤ電球からの光出力が弱くなるという問題が生じた。
そのため、ＬＥＤ電球を照明器具に取付ける際、照明器具及びその電球ソケットを取り換えたり、電源として別の電源、或いは、別の照明器具を使用しなければならないという不便があった。  
【０００３】
従来、ＬＥＤ電球に対応する電球取付用アダプターに関するものは提案されていないが、電球の取付位置を変えるものとして、照明燈のフードに電球を取付ける際に使用するフード用電球アダプターが提案されている。
このフード用電球アダプターは、細長い軸筒の先端に、電球の口金がねじ込まれるソケット部を設けると共に、フードの受口部のソケットにねじ込まれる口金部を、軸筒の基端に設けたものである。（特許文献１参照）
【０００４】
また、天井に埋設された照明器具本体の白熱灯用ソケットに、アジャスタに設けた口金をそのソケットに接続し、このアジャスタは連結部材とソケット台からなり、連結部材は逆Ｕ字形で上部中央に口金を固設し、脚となる両側片に縦スリットを形成し、さらにその下端部に舌片を張り出して設け、ソケット台は前記連結部材の内側に嵌合するＵ字形をし、脚となる両側片の上端部にねじ孔を形成し、また、その上端部を残して両側片の両側に外リブを折曲形成し、ソケット台の中央下部に白熱灯用磁器ソケットを固設したダウンライトが提案されている。（特許文献２参照）
【先行技術文献】
【特許文献】
【０００５】
【特許文献１】実開昭５２−４４６８２
【特許文献２】実開昭５８−８７２０７
【考案の概要】
【考案が解決しようとする課題】
【０００６】
しかしながら、前記特許文献１のフード用電球アダプターであって、フード用電球アダプターの長さを変えることができるものは、電球の口金がねじ込まれるソケット部を設けた大径筒と、フードの受け口部のソケットにねじ込まれる口金部を設けた小径筒から構成されており、大径筒と小径筒は電気的に接続が成立するように嵌め合わされ、両者は軸方向に沿って摺動自在とし、大径筒を進退させることで適当な位置に電球の本体部分を配置させることができるものが開示されている。
しかし、天井面から下方に吊り下げる形で電球を取付けるものにあっては、大径筒が摺動して所定の位置に固定することができず、電球とともに落下するおそれがあり、また、特に大型で重量のあるＬＥＤ電球を取付ける場合には不向きである。さらに、ソケット部に電球の口金を螺入し装着する際、電球を回しながらねじ込むと大径筒も共に回動し確実に電球を装着することができないという問題点がある。
また、前記特許文献２のダウンライトにあっては、ソケット台のつまみ螺子を緩めてスリットの上方へ移動し、スリットの上端部で締め付けるとソケット台が器具本体内の上方へ移動するものであるが、アジャスタに設けた口金とソケット台に設けた白熱灯用磁器ソケットとを別途電気的に接続する配線が必要があり、また、大きく重量のあるＬＥＤ電球を取付ける場合には、所定の位置に固定する構造が不安定で強度に問題がある。
【０００７】
この考案は上記問題点に鑑みてなされたもので、天井面、壁面等に付設された照明器具の電球ソケットにＬＥＤ電球のような様々の大きさ・形状の電球を取付ける場合に、確実に通電する状態で電球をしっかりと固定して装着することができ、また、電球ソケットと電球の間隔、或いは、天井面や壁面と電球との間隔を調節して介装することにより、空気の流れによる自然冷却を働き易くすることができる電球取付用アダプターを提供するものである。
【課題を解決するための手段】
【０００８】
上記目的を達成するものは、以下のものである。
（１）電球ソケットと該電球ソケットに取付けられる電球との間に介装される電球取付用アダプターであって、
該電球取付用アダプターは、受電部を備え前記電球ソケットに着脱可能に取付けられるアダプター取付部と、前記アダプター取付部に接続される電球アダプター長さ調節用のアダプター連結部と、給電部を備え前記アダプター連結部に接続されるアダプターソケット部と、前記アダプター取付部と前記アダプター連結部と前記アダプターソケット部を一体に結合するとともに前記アダプター取付部の受電部と前記アダプターソケット部の給電部を通電可能に接続する導電性の連結具とからなり、
前記連結具は、３つの受電部側ねじ状金具と、３つの給電部側ねじ状金具と、前記受電部側ねじ状金具の雄ねじ部および前記給電部側ねじ状金具の雄ねじ部と螺合可能な雌ねじ部を両端部に備える３つの筒状連結金具とからなり、
前記アダプター取付部と前記アダプター連結部と前記アダプターソケット部は、接続時に連通する中央部取付孔と、前記中央部取付孔の両側部に設けられ、接続時に連通する２つの側部取付孔とを備え、かつ、前記中央部取付孔および前記２つの側部取付孔は、前記アダプター取付部と前記アダプター連結部と前記アダプターソケット部との接続時に形成され、一端が前記アダプター取付部内に位置し、他端が前記アダプターソケット部内に位置し、前記アダプター連結部を貫通する３つの連結金具収納部を有し、
前記各筒状連結金具は、前記各連結金具収納部内に収納されており、前記各受電部側ねじ状金具は、前記アダプター取付部側から前記中央部取付孔もしくは前記側部取付孔に侵入し前記各筒状連結金具と螺合し、前記各給電部側ねじ状金具は、前記アダプターソケット部側から前記中央部取付孔もしくは前記側部取付孔に侵入し前記各筒状連結金具と螺合し、前記アダプター取付部と前記アダプター連結部と前記アダプターソケット部とを一体的に結合するとともに、前記アダプター取付部の受電部と前記アダプターソケット部の給電部を通電可能に接続している電球取付用アダプター。
【０００９】
（２）前記電球取付用アダプターは、第１のアダプター連結部と３つの第１の筒状連結金具とからなる第１の長さ用セットと、前記第１のアダプター連結部より短い第２のアダプター連結部と前記第１の筒状連結金具より短い３つの第２の筒状連結金具とからなる第２の長さ用セットを備え、前記第１の長さ用セットとおよび前記第２の長さ用セットを任意に選択可能である前記（１）に記載の電球取付用アダプター。
（３）前記中央部取付孔および前記側部取付孔は、前記連結金具収納部の一端より前記アダプター取付部の外面に延びるねじ状金具挿入孔と、前記連結金具収納部の他端より前記アダプターソケット部の外面に延びるねじ状金具挿入孔とを備えている前記（１）または（２）に記載の電球取付用アダプター。
（４）前記筒状連結金具は、多角筒状の高ナットであり、前記連結金具収納部は、前記高ナットの形状に適合した多角柱状空間となっている前記（１）ないし（３）のいずれかに記載の電球取付用アダプター。
【００１０】
（５）前記アダプター取付部は、円柱状のアダプター取付部主体と、筒状の受電用口金を嵌め込む円柱状の口金嵌合部と、中心部受電端子を取付ける山形凸部が一体に絶縁材料で形成され、その中心軸に前記中央部取付孔が設けられ、また、前記中心取付孔の左右に平行して２つの前記側部取付孔が設けられ、透孔を設けた通電用接続片を上端に有する筒状の受電用口金が前記口金嵌合部に嵌め入れられ、前記中央部取付孔に前記ねじ状金具が挿入され前記山形凸部の頂部に前記ねじ状金具の頭部が中心部受電端子として取付けられ、前記受電用口金と前記中心部受電端子とからなる受電部を備えたものである前記（１）ないし（４）のいずれかに記載の電球取付用アダプター。
（６）前記連結金具収納部の前記一端は、前記アダプター取付部のアダプター連結部との接続面より、所定の深さ前記アダプター取付部内に延び、前記連結金具収納部の一端部収納部を形成しており、前記連結金具収納部の前記他端は、前記アダプターソケット部のアダプター連結部との接続面より、所定の深さ前記アダプターソケット部内に延び、前記連結金具収納部の他端部収納部を形成している前記（１）ないし（５）のいずれかに記載の電球取付用アダプター。
【００１１】
（７）前記アダプター取付部は、アダプター連結部との接続面に設けられた凸部もしくは凹部からなる取付部側係合部を備え、前記アダプター連結部は、前記取付部側係合部に対応した凸部もしくは凹部かならる連結部側係合部を備え、前記取付部側係合部と前記連結部側係合部とを係合させることにより、前記アダプター取付部と前記アダプター連結部とは、回転不能に係合するものである前記（１）ないし（６）のいずれかに記載の電球取付用アダプター。
（８）前記アダプターソケットは、アダプター連結部との接続面に設けられた凸部もしくは凹部からなるソケット部側係合部を備え、前記アダプター連結部は、前記ソケット部側係合部に対応した凸部もしくは凹部かならる連結部側係合部を備え、前記ソケット部側係合部と前記連結部側係合部とを係合させることにより、前記アダプターソケット部と前記アダプター連結部とは、回転不能に係合するものである前記（１）ないし（７）のいずれかに記載の電球取付用アダプター。
【００１２】
（９）前記アダプター連結部は、前記アダプター取付部主体と同一の直径を有する円柱状の絶縁材料で形成され、前記アダプター取付部に連結したとき前記中央部取付孔及び前記側部取付孔と同一軸心上になる位置に、前記連結金具を挿入する前記連結金具収納部を貫通して備えている前記（１）ないし（８）のいずれかに記載の電球取付用アダプター。
（１０）前記アダプターソケット部は、前記アダプター取付部主体及びアダプター連結部と同一の直径を有する絶縁材料で形成された有底の円筒体であって、底部には前記中央部取付孔と前記側部取付孔が設けられ、また、円筒体内には前記ねじ状金具により前記中央部取付孔に取付けられる中央部給電端子と、電球の口金部を螺入し装着する筒状の給電用口金が設けられ、前記中央部給電端子と前記給電用口金からなる給電部を備えた前記（１）ないし（９）のいずれかに記載の電球取付用アダプター。
【００１３】
（１１）電球ソケットと該電球ソケットに取付けられる電球との間に介装される電球取付用アダプターであって、
該電球取付用アダプターは、受電部を備え前記電球ソケットに着脱可能に取付けられるアダプター取付部と、前記アダプター取付部に接続される電球アダプター長さ調節用のアダプター連結部と、給電部を備え前記アダプター連結部に接続されるアダプターソケット部と、前記アダプター取付部と前記アダプター連結部と前記アダプターソケット部を一体に結合するとともに前記アダプター取付部の受電部と前記アダプターソケット部の給電部を通電可能に接続する導電性の連結具とからなり、
前記連結具は、３つの受電部側ねじ状金具と、３つの給電部側ねじ状金具と、前記受電部側ねじ状金具の雄ねじ部および前記給電部側ねじ状金具の雄ねじ部と螺合可能な雌ねじ部を両端部に備える３つの筒状連結金具とからなり、
前記アダプター取付部と前記アダプター連結部と前記アダプターソケット部は、接続時に連通する中央部取付孔と、前記中央部取付孔の両側部に設けられ、接続時に連通する２つの側部取付孔とを備え、かつ、前記中央部取付孔および前記２つの側部取付孔は、前記アダプター取付部と前記アダプター連結部と前記アダプターソケット部との接続時に形成され、一端が前記アダプター取付部内に位置し、他端が前記アダプターソケット部内に位置し、前記アダプター連結部を貫通する３つの連結金具収納部を有し、
前記アダプター取付部は、アダプター連結部との接続面に設けられた凸部もしくは凹部からなる取付部側係合部を備え、前記アダプター連結部は、前記取付部側係合部に対応した凸部もしくは凹部かならる連結部側係合部を備え、前記取付部側係合部と前記連結部側係合部とを係合させることにより、前記アダプター取付部と前記アダプター連結部とは、回転不能に係合するものであり、
前記アダプターソケットは、アダプター連結部との接続面に設けられた凸部もしくは凹部からなるソケット部側係合部を備え、前記アダプター連結部は、前記ソケット部側係合部に対応した凸部もしくは凹部かならる連結部側係合部を備え、前記ソケット部側係合部と前記連結部側係合部とを係合させることにより、前記アダプターソケット部と前記アダプター連結部とは、回転不能に係合するものであり、
前記各筒状連結金具は、前記各連結金具収納部内に収納されており、前記各受電部側ねじ状金具は、前記アダプター取付部側から前記中央部取付孔もしくは前記側部取付孔に侵入し前記各筒状連結金具と螺合し、前記各給電部側ねじ状金具は、前記アダプターソケット部側から前記中央部取付孔もしくは前記側部取付孔に侵入し前記各筒状連結金具と螺合し、前記アダプター取付部と前記アダプター連結部と前記アダプターソケット部とを一体的に結合するとともに、前記アダプター取付部の受電部と前記アダプターソケット部の給電部を通電可能に接続するものであり、さらに、
前記電球取付用アダプターは、第１のアダプター連結部と３つの第１の筒状連結金具とからなる第１の長さ用セットと、前記第１のアダプター連結部より長い第２のアダプター連結部と前記第１の筒状連結金具より長い３つの第２の筒状連結金具とからなる第２の長さ用セットを備え、前記第１の長さ用セットとおよび前記第２の長さ用セットを任意に選択可能である電球取付用アダプター。
【００１４】
（１２）前記筒状連結金具は、多角筒状の高ナットであり、前記連結金具収納部は、前記高ナットの形状に適合した多角柱状空間となっている前記（１１）に記載の電球取付用アダプター。
（１３）前記連結金具収納部の前記一端は、前記アダプター取付部のアダプター連結部との接続面より、所定の深さ前記アダプター取付部内に延び、前記連結金具収納部の一端部収納部を形成しており、前記連結金具収納部の前記他端は、前記アダプターソケット部のアダプター連結部との接続面より、所定の深さ前記アダプターソケット部内に延び、前記連結金具収納部の他端部収納部を形成している前記（１１）または（１２）に記載の電球取付用アダプター。
【考案の効果】
【００１５】
本考案の電球取付用アダプターによれば、受電部を備えたアダプター取付部と、電球アダプターの長さ調節用のアダプター連結部と、給電部を備えたアダプターソケット部とを、中央部取付孔と２つの側部取付孔を使用し、３つの受電部側ねじ状金具と３つの給電部側ねじ状金具と３つの筒状連結金具とからなる導電性の連結具で一体的に結合したので、堅牢な電球取付用アダプターとなり、また、前記アダプター取付部の受電部と前記アダプターソケット部の給電部を前記受電部側ねじ状金具と給電部側ねじ状金具と筒状連結金具で接続するものであるから、アダプター取付部の受電部とアダプターソケット部の給電部を確実に通電するように接続できる。
【００１６】
本考案の電球取付用アダプターによれば、天井面、壁面等に取り付けられ又は埋設されている照明器具の電球ソケットに電球を取付ける際、前記電球ソケットと電球との間に、また、天井面や壁面と電球との間に間隔を設けることができるので、様々の大きさ・形状のＬＥＤ電球等を、前記電球ソケットや天井面・壁面に当接することなく、前記電球ソケットにしっかりと固定して装着することができる。さらに、天井面・壁面にＬＥＤ電球等が密接して取り付けられることもないので、空気による自然冷却が効率よく働き電球が高温になることを防ぎ、ＬＥＤ電球のＬＥＤ発光部やＬＥＤ素子周辺の蛍光体の劣化を防ぎ、また、封止樹脂の劣化による透光性の低下を防ぐ等、光出力を弱めることがなく、電球の寿命を長くすることができる。
【００１７】
本考案の電球取付用アダプターによれば、第１のアダプター連結部と３つの第１の筒状連結金具とからなる第１の長さ用セットと、前記第１のアダプター連結部より短い第２のアダプター連結部と前記第１の筒状連結金具より短い３つの第２の筒状連結金具とからなる第２の長さ用セットを選択して使用することにより、電球取付用アダプター全体の長さを変えることができるので、電球の設置位置の調節、及び、電球ソケットと電球との間隔、天井面や壁面と電球との間隔を容易に調節することができる。
【００１８】
本考案の電球取付用アダプターによれば、前記中央部取付孔および前記側部取付孔に、前記高ナットの形状に適合した多角柱状空間となっている連結金具収納部が設けられ、この連結金具収納部に多角筒状の高ナットが挿入される構造となっているので、前記高ナットが回動することなくロックされた状態に設置される。それ故、前記高ナットに受電部側ねじ状金具と給電部側ねじ状金具をねじ込むだけで、前記アダプター取付部と前記アダプター連結部と前記アダプターソケット部を容易に一体に結合できる。
また、前記連結金具収納部が、前記アダプター取付部に一端部収納部を形成し、前記アダプターソケット部に他端部収納部を形成し、さらに、前記アダプター連結部に貫通して設けられているので、この連結金具収納部に筒状連結金具を挿入して受電部側ねじ状金具と給電部側ねじ状金具で結合することにより、前記アダプター取付部と前記アダプター連結部と前記アダプターソケット部の結合関係が非常に丈夫なものとなる。
【００１９】
本考案の電球取付用アダプターによれば、前記アダプター取付部は、アダプター連結部との接続面に凸部もしくは凹部からなる取付部側係合部を備え、前記アダプター連結部は、前記取付部側係合部に対応した凸部もしくは凹部かならる連結部側係合部と、ソケット部側係合部に対応した凸部もしくは凹部かならる連結部側係合部を備え、さらに、前記アダプターソケット部は、アダプター連結部との接続面に凸部もしくは凹部からなるソケット部側係合部を備えているので、各係合部を互いに嵌め合わせることにより、結合位置関係が決まり、アダプター取付部とアダプター連結部とアダプターソケット部の各々の前記中央部取付孔と前記２つの側部取付孔が連通する状態で結合でき、結合作業が容易にできる。
また、同様に、前記アダプター取付部の一端部収納部と、前記アダプターソケット部の他端部収納部と、前記アダプター連結部に貫通して設けられた収納部も、前記各係合部同士を嵌め合わせることにより、連結金具収納部が連通するので
筒状連結金具の挿入も簡単にできる。
さらに、前記アダプターソケット部にＬＥＤ電球等の電球の口金を螺入し強く回しても、前記アダプター取付部と前記アダプター連結部と前記アダプターソケット部がズレ動いたり回動することがないので、電球をしっかりと固定して装着することができる。
【００２０】
本考案の電球取付用アダプターによれば、アダプター取付部主体と口金嵌合部と山形凸部が一体に絶縁材料で形成され、前記山形凸部の頂部に中心部受電端子が取付けられ、前記口金嵌合部に前記受電用口金が嵌め入れられ前記ねじ状金具で取付けられるので、絶縁が確実にできる。
また、前記アダプター連結部も、絶縁材料からなり、前記中央部取付孔及び前記側部取付孔と同一軸心上になる位置に、前記連結金具収納部を貫通して設けたので、各連結金具収納部に嵌め入れられる筒状連結金具は完全に絶縁状態に保持される。
さらに、前記アダプターソケット部は、絶縁材料で形成された有底の円筒体であって、前記給電部側ねじ状金具により前記中央部取付孔に取付けられる中央部給電端子と、該中央部給電端子を囲うように円筒体内に筒状の給電用口金が設けられているので、同様に中央部給電端子と給電用口金は確実に絶縁した状態に保持される。
【図面の簡単な説明】
【００２１】
【図１】第１の長さ用セットを使用した電球取付用アダプターの斜視図
【図２】第１の長さ用セットを使用した電球取付用アダプターの中央断面図
【図３】斜め上方からみたアダプター取付部の斜視図
【図４】斜め下方からみたアダプター取付部の斜視図
【図５】アダプター取付部の中央断面図
【図６】第１の長さ用セットのアダプター連結部を斜め上方からみた斜視図
【図７】第１の長さ用セットのアダプター連結部を斜め下方からみた斜視図
【図８】第１の長さ用セットのアダプター連結部の中央断面図
【図９】円筒体を斜め上方からみた斜視図
【図１０】円筒体を斜め下方からみた斜視図
【図１１】円筒体の中央断面図
【図１２】給電用口金の斜視図
【図１３】中央部給電端子と給電用口金の押さえ取付具とねじ状金具の斜視図
【図１４】第１の長さ用セットの第１の筒状連結金具をアダプター取付部の連結金具収納部に嵌め入れた状態を示す説明図
【図１５】第１の長さ用セットの第１の筒状連結金具と、第２の長さ用セットの第２の筒状連結金具の斜視図
【図１６】第２の長さ用セットの電球取付用アダプターの斜視図
【図１７】第２の長さ用セットの電球取付用アダプターの中央断面図
【図１８】第２の長さ用セットのアダプター連結部の斜視図
【図１９】第２の長さ用セットのアダプター連結部の中央断面図
【図２０】第２の長さ用セットの第２の筒状連結金具をアダプター取付部の連結金具収納部に嵌め入れた状態を示す説明図
【図２１】アダプター連結部を使用しない場合の電球取付用アダプターの斜視図
【図２２】アダプター連結部を使用しない場合の電球取付用アダプターの中央断面図
【考案を実施するための形態】
【００２２】
本考案の電球取付用アダプターについて、図面を用いて説明する。
図１及び図２は本考案の第１の長さ用セットを使用した電球取付用アダプターの斜視図と中央断面図である。
図３〜図５は、本考案の電球取付用アダプターのアダプター取付部を示す図であり、図３は斜め上方からみたアダプター取付部の斜視図と、アダプター取付部の中央部取付孔と側部取付孔に挿入される受電部側ねじ状金具の斜視図、図４は斜め下方からみた斜視図、図５は中央断面図である。
図６〜図８は、本考案の電球取付用アダプターの第１の長さ用セットのアダプター連結部を示す図で、図６は、斜め上方からみた斜視図、図７は斜め下方からみた斜視図、図８は中央断面図である。
図９〜図１３は、本考案の電球取付用アダプターのアダプターソケット部の構成部品を示す図で、図９は円筒体を斜め上方からみた斜視図、図１０は円筒体を斜め下方からみた斜視図、図１１は円筒体の中央断面図、図１２は円筒体の内部に取り付けられる給電用口金の斜視図、図１３は、中央部給電端子と前記給電用口金の押さえ取付具と、これらを取付ける給電部側ねじ状金具の斜視図である。
図１４は、第１の長さ用セットの第１の筒状連結金具をアダプター取付部の連結金具収納部に嵌め入れた状態を示す説明図、図１５は第１の長さ用セットの第１の筒状連結金具と、第２の長さ用セットの第２の筒状連結金具の斜視図である。
【００２３】
図１６、図１７は、長さの短いアダプター連結部を用いた実施例で、第２の長さ用セットを使用した電球取付用アダプターの斜視図と中央断面図であり、図１８、図１９は、長さの短い第２のアダプター連結部の斜視図と中央断面図、図２０は、第２の長さ用セットの短い筒状連結金具をアダプター取付部の連結金具収納部に嵌め入れた状態を示す説明図である。
また、図２１及び図２２は、上記アダプター連結部を使用しない場合の実施例を示すもので、アダプター取付部にアダプターソケット部を直接接続した斜視図と中央断面図である。
【００２４】
本考案の電球取付用アダプターは、図１、図２に示すように、第１の長さ用セットを使用した実施例で、受電部１を備え電球ソケットに着脱可能に取付けられるアダプター取付部Ａと、前記アダプター取付部Ａに接続される電球アダプター長さ調節用の第１のアダプター連結部Ｂと、給電部１１を備え前記第１のアダプター連結部Ｂに接続されるアダプターソケット部Ｃとを結合して構成されている。
前記アダプター取付部Ａと前記第１のアダプター連結部Ｂと前記アダプターソケット部Ｃには、これらを連通して、中心軸に中央部取付孔５が設けられ、かつ、前記中央部取付孔５の左右に前記中央部取付孔５と並行して２つの側部取付孔６、６が設けられ、導電性の連結具を用いて、前記アダプター取付部Ａと前記第1のアダプター連結部Ｂと前記アダプターソケット部Ｃとを一体的に結合するようになっている。
【００２５】
前記導電性の連結具は、前記アダプター取付部Ａの上方から前記中央部取付孔５及び２つの側部取付孔６、６に侵入する３つの受電部側ねじ状金具１０と、前記アダプターソケット部Ｃの下方から前記中央部取付孔５及び２つの側部取付孔６、６に侵入する３つの給電部側ねじ状金具１０’と、前記受電部側ねじ状金具１０の雄ねじ部および前記給電部側ねじ状金具１０’の雄ねじ部と螺合可能な雌ねじ部を両端部に備える３つの第１の筒状連結金具１３とからなり、前記ねじ状金具１０、１０’は、雄ねじが刻まれた軸部と該軸部に十字穴付き又は−穴付き頭部を有するもので、一般に使用されているねじと同様のものである。
また、前記導電性の筒状連結金具１３も、一般に使用されている６角柱状の高ナットで中心軸に貫通孔１３ａが設けられ、その内部に雌ねじが刻設され、又は、その内部の両端部に雌ねじが刻設されたものである。
【００２６】
前記中央部取付孔５は、前記受電部側ねじ状金具１０の径よりやや大きい前記アダプター取付部Ａの円形をしたねじ状金具挿入孔５ａ、及び、前記給電部側ねじ状金具１０’の径よりやや大きい前記アダプターソケット部Ｃの円形をしたねじ状金具挿入孔５ｃと、前記中央部取付孔５と同一軸線上にあって、前記アダプター取付部Ａの第１のアダプター連結部Ｂとの接続面より所定の深さ前記だい１のアダプター取付部内に延びて形成された連結金具収納部１２の一端部収納部１２ａ、及び、前記アダプターソケット部Ｃの第１のアダプター連結部Ｂとの接続面より所定の深さ前記第１のアダプターソケット部内に延びて形成された連結金具収納部の他端部収納部１２ｃと、前記第１のアダプター連結部Ｂの連結金具収納部１２ｂを連通して設けたものである。
また、前記側部取付孔６、６も上記中央部取付孔５と同様に、前記受電部側ねじ状金具１０の径よりやや大きく若干左右にゆとりを持たせた大きさとした前記アダプター取付部Ａの楕円形をしたねじ状金具挿入孔６ａ、及び、前記アダプターソケット部Ｃの楕円形をしたねじ状金具挿入孔６ｃと、前記側部取付孔６、６と同一軸線上にあって、前記アダプター取付部Ａの第１のアダプター連結部Ｂとの接続面より所定の深さ前記第１のアダプター取付部内に延びて形成された連結金具収納部の一端部収納部１２ａ、及び、前記アダプターソケット部Ｃの第１のアダプター連結部Ｂとの接続面より所定の深さ前記アダプターソケット部内に延びて形成された連結金具収納部１２の他端部収納部１２ｃと、前記第１のアダプター連結部Ｂの連結金具収納部１２Ｂを連通して設けたものである。
【００２７】
前記連結金具収納部１２は、前記アダプター取付部Ａと前記第１のアダプター連結部Ｂと前記アダプターソケット部Ｃを結合することにより、それぞれの連結金具収納部１２ａ、１２ｂ、１２ｃが結合され、横断面が６角形をした６角柱状空間からなる連結金具収納部１２が形成されるようになっている。
また、前記連結金具収納部１２は、前記導電性の第１の筒状連結金具１３、１３を嵌め入れたとき、該第１の連結金具１３、１３が回動しない大きさとなっている。
前記連結金具収納部１２ａ、１２ｂ、１２ｃは前記中央部取付孔５に設けるものと前記側部取付孔６、６に設けるものとは同じ形状・大きさである。
【００２８】
このように、前記連結金具収納部１２ａ、１２ｂ、１２ｃが設けられているので、この連結金具収納部に前記導電性の第１の筒状連結金具１３、１３を嵌め入れることにより、前記中央部取付孔５と前記側部取付孔６、６に第１の筒状連結金具１３、１３を回動しないように設置できるようになっている。
そして、前記導電性のねじ状金具１０、１０’を、前記アダプター取付部Ａと前記アダプターソケット部Ｃに設けた前記中央部取付孔５のねじ状金具挿入孔５ａ、５ｃ、及び、前記側部取付孔６、６のねじ状金具挿入孔６ａ、６ｃのアダプター取付部Ａの上方又はアダプターソケット部Ｃ下方から侵入させ、前記導電性の第１の筒状連結金具１３の両端部に螺合することにより、前記アダプター取付部Ａと前記第１のアダプター連結部Ｂと前記アダプターソケット部Ｃとを一体的に結合することができるようになっている。
【００２９】
前記アダプター取付部Ａは、図２〜図５に示すように、円柱状のアダプター取付部主体２と、筒状の受電用口金９を嵌め込む円柱状の口金嵌合部３と、山形凸部４が一体に磁器又は絶縁性樹脂等の絶縁材料で形成され、前記アダプター取付部Ａの中心軸に中央部取付孔５の円形をしたねじ状金具挿入孔５ａが設けられ、また、前記中央部取付孔５の左右に該中央部取付孔５の円形をしたねじ状金具挿入孔５ａと平行に２つの側部取付孔６、６の楕円形をしたねじ状金具挿入孔６ａ、６ａが設けられ、前記したように、円形をしたねじ状金具挿入孔５ａと楕円形をしたねじ状金具挿入孔６ａ、６ａの下部には、第１の筒状連結金具１３の一端が嵌め入れられる連結金具収納部１２ａが連通して設けられている。
なお、前記楕円形をしたねじ状金具挿入孔６ａ、６ａの上部は、前記口金嵌合部３において該口金嵌合部の直径が小さくなっていることから、図３に示すように挿入孔ではなく縦溝状になっている。
前記山形凸部４の頂部はアダプター取付部Ａの中心軸上にあるので、前記中央部取付孔５の円形ねじ状金具挿入孔５ａは該頂部を通る位置に設けられることになる。
前記筒状の受電用口金９は、電球の口金と同様に真鍮や銅板などの導電材料からなり、山部・谷部が螺旋状に設けられた筒状であって、前記口金嵌合部３に嵌め入れられている。その受電用口金９の上端には、該受電用口金９の上部を内側に屈曲して内向きのフランジ状に通電用接続片８が設けられ、該通電用接続片８には前記側部取付孔６、６の楕円形ねじ状金具挿入孔６ａ、６ａと連通する位置に、前記受電部側ねじ状金具１０が挿通する透孔７が２個設けられている。
【００３０】
前記受電用口金９の前記通電用接続片８に穿った前記透孔７には、前記受電部側ねじ状金具１０が上方から挿通され、前記側部取付孔６、６のねじ状金具挿入孔６ａ、６ａに侵入して取付られると、該受電部側ねじ状金具１０により前記受電用口金９が口金嵌合部３に固定され、同時に受電用口金９と受電部側ねじ状金具１０は、前記通電用接続片８を介して電気的に接続される。
また、前記中央部取付孔５のねじ状金具挿入孔５ａには、前記導電性の受電部側ねじ状金具１０が挿入され、前記山形凸部４の頂部に受電部側ねじ状金具１０の頭部が前記中心部受電端子１０ａとして固定される。
そして、前記受電用口金８と前記中心部受電端子１０ａとにより受電部１を形成し、天井面や壁面等に設けた照明器具の電球ソケット（図示せず。）にアダプター取付部Ａを螺入し装着すると、前記受電部１により外部電力を受電することができるようになっている。
【００３１】
前記アダプター取付部Ａは、前記中央部取付孔５のねじ状金具挿入孔５ａ及び側部取付孔６、６のねじ状金具挿入孔６ａ、６ａの下部に、連結金具収納部１２ａが連通して設けられ、図２及び図１４に示すように第１の筒状連結金具１３の先端部分を収納できるようになっている。また、前記アダプター取付部Ａの下面である第１のアダプター連結部Ｂとの接続面には図２及び図４に示されているようにアダプター取付部主体２の直径よりやや小さい直径の円形で対向する位置に並行した２つの直線部を有する小判形の取付部側係合凹部１４が設けられ、後述する第１のアダプター連結部Ｂの上面に設けられた連結部側凸部１５と嵌め合わされ、前記第アダプター取付部Ａと前記第１のアダプター連結部Ｂの取付位置関係が決定され、かつ、両者がずれたり回動することがない回転不能に係合して結合できる構造となっている。
【００３２】
前記第１のアダプター連結部Ｂは、図２、図６〜図８に示すように、前記アダプター取付部Ａの取付部主体２と同一の直径の円柱状で磁器又は絶縁性樹脂等の絶縁材料から形成され、前記中央部取付孔５及び前記側部取付孔６、６と同一軸心上になる位置に、横断面が６角形の前記連結金具収納部１２ｂ、１２ｂを貫通して設け、また、前記アダブター連結部Ｂの上面のアダプター取付部Ａとの接続面に、前記アダプター取付部Ａに設けた取付部側係合凹部１４に嵌め合わせて結合する該凹部と同じ形状で突出した連結部側凸部１５が設けられ、下面のアダプターソケット部Ｃとの接続面には後述するアダプターソケット部Ｃと嵌め合わせて結合する前記取付部側係合凹部１４と同じ小判形の連結部側係合凹部１６が設けられている。
【００３３】
前記アダプターソケット部Ｃは、図２、図９〜図１３に示すように、前記アダプター取付部主体２及びアダプター連結部Ｂと同一の直径を有する磁器又は絶縁性樹脂等の絶縁材料で形成された有底の円筒体１８からなり、該円筒体１８の底部１９には、前記中央部取付孔５の円形をしたねじ状金具挿入孔５ｃと前記側部取付孔６、６の楕円形をしたねじ状金具挿入孔６ｃ、６ｃが設けられている。また、前記円筒体１８の内部であって前記底部１９の下面中央には、Ｌ字形の中央部給電端子２０が前記給電部側ねじ状金具１０’により中央部取付孔５のねじ状金具挿入孔５ｃに固定され、前記中央部給電端子２０を囲う形で、電球の口金を螺入し装着できる真鍮や銅板などの導電材料から形成され、山部・谷部が螺旋状に設けられた筒状の給電用口金２１が、前記給電部側ねじ状金具１０’により前記底部１９の下面に取付固定されている。
【００３４】
前記筒状の給電用口金２１は、その上端に給電用口金２１の上部を内側に屈曲して形成した内向きのフランジ状の通電接続部２２が設けられ、前記Ｌ字形の中央部給電端子２０と接触しないように、Ｕ字状の空隙が設けられている。
前記給電用口金２１は、前記側部取付孔６、６の楕円形をしたねじ状金具挿入孔６ｃ、６ｃにアダプターソケット部Ｃの下方から挿入する前記給電部側ねじ状金具１０’により、押さえ金具２３を介してアダプターソケット部Ｃの底部１９に取付固定されている。
そして、前記アダプターソケット部Ｃは、前記中央部給電端子２０と前記給電用口金２１からなる給電部１１を備えているので、ＬＥＤ電球等の電球の口金（図示せず。）を螺入して装着すると電球に通電され点灯することができるようになっている。
【００３５】
上記のように、受電部１を備えたアダプター取付部Ａ、第１のアダプター連結部Ｂ、及び、給電部１１を備えたアダプターソケット部Ｃを構成をしたので、前記アダプター取付部Ａと前記第１のアダプター連結部Ｂと前記アダプターソケット部Ｃをそれぞれ連結すると、前記中央部取付孔５と２つの側部取付孔６、６が連通し、また、連結金具収納部である１２ａと１２ｂと１２ｃの各連結金具収納部が結合され一つの６角柱状空間が構成されので、アダプター取付部Ａと第１のアダプター連結部Ｂとアダプターソケット部Ｃを連結するに当たり、この６角柱状空間である連結金具収納部１２ａ、１２ｂ、１２ｃに導電性の第１の筒状連結金具１３を嵌め入れ、前記連通した中央部取付孔５と２つの側部取付孔６、６に予め第１の筒状連結金具１３を３個設置した状態にする。
【００３６】
次に、前記アダプター取付部Ａと前記第１のアダプター連結部Ｂと前記アダプターソケット部Ｃに連通して設けられた中央部取付孔５の円形をしたねじ状金具挿入孔５ａ、５ｃに、上下からねじ状金具１０、１０’を侵入させねじ込むとともに、２つの側部取付孔６、６の楕円形をしたねじ状金具挿入孔６ａ、６ｃの上下からねじ状金具１０、１０’を侵入させねじ込むと、前記導電性の第１の筒状連結金具１３の両端に螺入し、しっかりとねじ状金具１０、１０’が取り付けられる。
また、同時に、前記山形凸部４の頂部に、受電部側ねじ状金具１０の頭部が前記中心部受電端子１０ａとして固定され、前記円筒体１８の内部であって前記底部１９の下面中央にＬ字形の中央部給電端子２０が前記ねじ状金具１０により固定され、前記ねじ状金具１０、１０’が前記第１の筒状連結金具により結合されているので、前記中心部受電端子１０ａと中央部給電端子２０が電気的に確実に接続される。
さらに、筒状の受電用口金９が口金嵌合部３に固定され、前記通電用接続片８を介して受電用口金９と給電部側ねじ状金具１０’が電気的に接続され、また、筒状の給電用口金２１が給電部側ねじ状金具１０’により押さえ金具２３を介して取付固定され、同時に給電部側ねじ状金具１０’と給電用口金２１が電気的に接続され、ねじ状金具１０、１０’同士が第１の筒状連結金具１３を介して結合されるので、確実に受電用口金９と給電用口金２１が通電する状態に結合される。      
【００３７】
本考案の電球取付用アダプターは、前記アダプター取付部の下面に設けた取付部側係合凹部、前記アダプター連結部の上下面に設けた連結部側係合凸部と凹部、前記アダプターソケット部の上面に設けたソケット部側係合凸部を、互いに嵌め合わせて前記アダプター取付部と前記第１のアダプター連結部と前記アダプターソケット部を連結する構造としているので、各々の取付位置関係が簡単に決まり、また、結合関係において前記アダプターソケット部にＬＥＤ電球等の電球の口金を螺入し強く回して装着しても、前記アダプター取付部と前記アダプター連結部と前記アダプターソケット部がズレ動いたり回動することがないので、確実に電球を装着することができる。
【実施例１】
【００３８】
異なる実施例を図１６〜図２０を用いて説明する。なお、上記と同一部分に同一符号を付してその説明を省略する。
この実施例は、上記した第１の長さ用セットを使用したアダプター取付部Ａと第１のアダプター連結部Ｂとアダプターソケット部Ｃからなる電球取付用アダプターにおいて、前記第１のアダプター連結部Ｂより短い第２のアダプター連結部Ｂ’と、前記第１の筒状連結金具１３より短い３つの第２の筒状連結金具１３’とを備えた第２の長さ用セットを使用したものである。
この実施例のアダプター取付部Ａと第２のアダプター連結部Ｂ’とアダプターソケット部Ｃの構造は上記したものと全く同じであり、アダプター連結部Ｂ’の長さと、図１５に示すように貫通孔１３ａ’を有する長さの短い連結金具１３’を使用した相違があるのみである。
第２の長さ用セットの前記第２のアダプター連結部Ｂ’はその長さが短いので、前記アダプター取付部Ａと前記アダプター連結部Ｂと前記アダプターソケット部Ｃとを、前記中央部取付孔５と前記２つの側部取付孔６、６を用い導電性の連結具で前記アダプター取付部Ａと前記第２のアダプター連結部Ｂ’と前記アダプターソケット部Ｃとを一体的に結合すると、電球取付用アダプターの全体の長さが短くなる。
これにより、照明器具の電球ソケットとＬＥＤ電球などの電球の取付間隔、或いは、天井面や壁面等と電球の取付間隔を少なくすることができ、照明器具に取付けるＬＥＤ電球などの電球の形状に合わせて使用することができる。
【００３９】
尚、図２１及び図２２に示す電球取付用アダプターは、前記第１のアダプター連結部Ｂ、及び、前記第２のアダプター連結部Ｂ’を使用しないで前記アダプター取付部Ａと前記アダプターソケット部Ｃのみから構成されたもので、電球取付用アダプターをさらに短くして使用したい場合に、前記アダプター連結部を使用しないで、直接アダプター取付部Ａとアダプターソケット部Ｃを連結して使用するもので、前記第１の筒状連結金具１３、及び、第２の筒状連結金具１３’は、さらに短いものを使用することになる。
【００４０】
上記実施の形態の電球取付用アダプターは、アダプター取付部とアダプター連結部とアダプターソケット部を、前記導電性のねじ状金具と前記導電性の筒状連結金具を用いて、一体的に結合した構造なので堅牢であり、また、結合すると同時に前記アダプター取付部の受電部と前記アダプターソケット部の給電部を接続するから、確実に通電するように接続できる。
また、本考案の電球取付用アダプターは、照明器具の電球ソケットと電球との間隔、天井面や壁面と電球との間隔を設けることができ、また、その間隔もアダプター連結部の長さの異なる第１の長さ用セットと第２の長さ用セットを任意に選択可能としているので、間隔の調節が簡単にできる。
したがって、様々の大きさ・形状のＬＥＤ電球等を従来から設置されている照明器具の電球ソケットに確実に取り付けることができ、また、空気による自然冷却が効率よく働き電球が高温になることを防ぎ、ＬＥＤ電球のＬＥＤ発光部やＬＥＤ素子周辺の蛍光体の劣化を防ぎ、また、封止樹脂の劣化による透光性の低下を防ぐ等、光出力を弱めることがなく、電球の寿命も長くすることができる。
【００４１】
以上本考案の実施の形態の一例について説明したが、本考案はこうした実施の形態のものに何等限定されず、本考案の要旨を逸脱しない範囲において種々なる形態で実施しうることは勿論である。
【符号の説明】
【００４２】
Ａ  アダプター取付部
Ｂ  第１の長さ用セットのアダプター連結部
Ｂ’第２の長さ用セットのアダプター連結部
Ｃ  アダプターソケット部
１  受電部
２  アダプター取付部主体
３  口金嵌合部
４  山形凸部
５  中央部取付孔
５ａ  中央部取付孔のねじ状金具挿入孔
６  側部取付孔
６ａ  側部取付孔のねじ状金具挿入孔
７  透孔
８  通電用接続片
９  受電用口金
１０  受電部側ねじ状金具
１０’  給電部側ねじ状金具
１０ａ  中心部受電端子（ねじ状金具の頭部）
１１  給電部
１２、１２ａ、１２ｂ、１２ｃ  連結金具収納部
１３  第１の筒状連結金具
１３’  第２の筒状連結金具
１４  取付部側係合凹部
１５  連結部側凸部
１６  連結部係合凹部
１７  ソケット部側凸部
１８  円筒体
１９  円筒体の底部
２０  中央部給電端子
２１  給電用口金
２２  通電用接続部
２３  押さえ金具
【図１】
0003155799.tif 000003
【図２】
0003155799.tif 000004
【図３】
0003155799.tif 000005
【図４】
0003155799.tif 000006
【図５】
0003155799.tif 000007
【図６】
0003155799.tif 000008
【図７】
0003155799.tif 000009
【図８】
0003155799.tif 000010
【図９】
0003155799.tif 000011
【図１０】
0003155799.tif 000012
【図１１】
0003155799.tif 000013
【図１２】
0003155799.tif 000014
【図１３】
0003155799.tif 000015
【図１４】
0003155799.tif 000016
【図１５】
0003155799.tif 000017
【図１６】
0003155799.tif 000018
【図１７】
0003155799.tif 000019
【図１８】
0003155799.tif 000020
【図１９】
0003155799.tif 000021
【図２０】
0003155799.tif 000022
【図２１】
0003155799.tif 000023
【図２２】
0003155799.tif 000024